(57)【要約】【課題】紙幣挿入部側と奥側にそれぞれ配置した回転輪に掛け渡されたエンドレスベルトの駆動によって、紙幣を前面の紙幣挿入部から奥側に搬送し奥側の回転輪を回って紙幣挿入部側へ向けて搬送する復路に紙幣収納部を配置する形態において、搬送装置の搬送路から紙幣収納部のボックスが分離されない状態でもって、このボックスはそのままの状態で積層収納された紙幣が前方へ突出するように引き出し自在とし、搬送装置の搬送路と紙幣収納部との結合部での紙幣詰まりが生じない構成とする。【解決手段】復路に配置した紙幣収納部は、紙幣をその長辺を上下にした起立状態で左右方向に積層する収納形態であって、積層された紙幣を紙幣収納部から前方へ引き出す引き出し部材を備え、引き出し部材の前方移動によって積層された紙幣の前部が紙幣収納部から前方へ突出可能としたこと。【選択図】図１２
2008130028.tif 000002
【特許請求の範囲】
【請求項１】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路の横に配置した紙幣収納部を備えた紙幣識別装置において、前記紙幣収納部は、長辺を上下にした起立状態の紙幣を左右方向に積層する収納形態であって、前記積層された紙幣を前記紙幣収納部から前方へ引き出す引き出し部材を備え、前記引き出し部材の前方移動によって前記積層された紙幣の前部が前記紙幣収納部から前方へ突出可能としたことを特徴とする紙幣識別装置。
【請求項２】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路に沿って配置した紙幣収納部を備えた紙幣識別装置において、前記紙幣収納部は、長辺を上下にした起立状態の紙幣を左右方向に積層する収納形態であって、前面側扉とこの前面側扉の内方に前記積層された紙幣を前記紙幣収納部から前方へ引き出す引き出し部材を備え、前記引き出し部材は前記前面側扉を開いた状態で前方移動が可能であり、前記引き出し部材の前方移動によって前記紙幣収納部から前記積層された紙幣を取出し可能としたことを特徴とする紙幣識別装置。
【請求項３】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路に沿って配置した紙幣収納部を備えた紙幣識別装置において、前記紙幣収納部は、長辺を上下にした起立状態の紙幣を左右方向に積層する収納形態であって、前面側扉とこの前面側扉の内方に前記積層された紙幣を前記紙幣収納部から前方へ引き出す引き出し部材を備え、前記引き出し部材は前記前面側扉の開放に伴って自動的に前方移動して前記積層された紙幣の前部が前記紙幣収納部から前方へ突出する構成であることを特徴とする紙幣識別装置。
【請求項４】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路に沿って配置した紙幣収納部を備えた紙幣識別装置において、前記紙幣収納部は、長辺を上下にした起立状態の紙幣を左右方向に積層する収納形態であって、前面側扉とこの前面側扉の内方に前記積層された紙幣が前記紙幣収納部から前方へ引き出される引き出し部材を備え、この引き出し部材は前方へ移動する状態に前方付勢バネで付勢されており、前記前面側扉を閉じた状態で前記前方付勢バネのバネ力に抗して前記引き出し部材は前記紙幣収納部内の正規位置に収納され、前記前面側扉の開放に伴って前記バネ力によって前記引き出し部材が前方移動して前記積層された紙幣の前部が前記紙幣収納部の前方へ自動的に突出することを特徴とする紙幣識別装置。
【請求項５】
長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路の横に配置した紙幣収納部を備えた紙幣識別装置において、押し込み動作ごとに前記復路の起立状態の紙幣をその起立状態で横方向（左右方向）に押して前記紙幣収納部へ収納する押し込み部を備えた押し込み機構を備え、前記紙幣収納部は、押し込み開口が前記押し込み部に対応し前記起立状態の紙幣を横方向（左右方向）に積層収納する収納ボックスと、この収納ボックス内にあって前記起立状態で押し込まれる紙幣の側面を支えるよう前記押し込み開口に向けて横方向（左右方向）にバネ付勢された紙幣押え可動板と、この紙幣押え可動板と共に前記積層された紙幣を前記収納ボックスから前方へ引き出す引き出し部材を備え、前記押し込み動作の待機状態では、前記収納ボックス内の紙幣は前記押し込み部と前記バネ付勢された紙幣押え可動板との間に起立状態で保持され、この状態で紙幣が前記押し込み部をスライドしつつ前記引き出し部材によって前方へ引き出し可能としたことを特徴とする紙幣識別装置。
【請求項６】
前記紙幣収納部は、収納ボックスに長辺を上下にした起立状態の紙幣を左右に積層収納する形態であり、前記収納ボックスは、後部軸を中心として左右方向へ開閉可能で且つ取り外し自在であることを特徴とする請求項１乃至４のいずれかに記載の紙幣識別装置。
【請求項７】
前記収納ボックスの前面開口に対応して前面側扉を備え、この前面側扉の開放に伴って自動的に前記引き出し部材が前方移動して前記積層された紙幣の前部が前記収納ボックスから前方へ突出するよう前方付勢バネで付勢された構成であることを特徴とする請求項５に記載の紙幣識別装置。
【請求項８】
前記収納ボックスは、前記紙幣押え可動板と前記バネと前記引き出し部材を前記収納ボックスに組み合わさった状態で、後部軸を中心として左右方向へ開閉可能後部軸を中心として左右方向へ開閉回動可能で且つ取り外し自在であることを特徴とする請求項５に記載の紙幣識別装置。
【請求項９】
請求項１〜８のいずれかに記載の紙幣識別装置を収納したことを特徴とする遊技媒体貸機。
【請求項１０】
請求項２〜８のいずれかにおいて、前記前面側扉が遊技媒体貸機の前面カバーであることを特徴とする遊技媒体貸機。
【請求項１１】
請求項２〜８のいずれかにおいて、前記引き出し部材は前方へ移動する状態に前方付勢バネで付勢されていて、前記前面側扉の開閉に伴って前方移動状態と前記紙幣収納部内の正規位置とに移動可能であり、前記前面側扉は前記遊技媒体貸機の前面扉の開放に伴って前記前方付勢バネのバネ力によって開放し、前記遊技媒体貸機の前面カバーの開放に伴い、前記前方付勢バネのバネ力によって前記引き出し部材の前方移動と前記前面側扉が自動開放して、前記積層された紙幣の前部が前記紙幣収納部の前方へ自動的に突出することを特徴とする遊技媒体貸機。
【発明の詳細な説明】
【技術分野】
【０００１】
本発明は、挿入部から挿入された紙幣をエンドレスベルトの駆動によって紙幣識別部を通って紙幣収納部へ搬送する紙幣識別装置に関し、特に、遊技媒体貸機等の機器内に設置する小型化された紙幣識別装置であって、その中に積層収納した紙幣の取り出しが便利な紙幣識別装置、並びにこの紙幣識別装置を収納した遊技媒体貸機に関する。
【背景技術】
【０００２】
多数の遊技機が併設された遊技装置の接客面である前面から挿入された紙幣を、遊技装置の背面側に設置したベルト式搬送装置によって、遊技装置の一端側に設置した紙幣収納部へ搬送する遊技施設用紙幣搬送装置がある。（例えば、特許文献１参照）。
【０００３】
また、遊技機相互間にメダル貸機が設置された遊技装置において、メダル貸機内に紙幣識別装置を収納し、この紙幣識別装置の前面である接客面に開口した紙幣投入部から紙幣を投入し、この投入された紙幣を紙幣収納器に収納し、紙幣識別装置の前面に設けた遮蔽蓋を開放することに伴って、紙幣収納器が前方の突出姿勢にスライドして、紙幣収納器に収納された紙幣を取り出し易くするものがある。（例えば、特許文献２参照）。
【特許文献１】特開２００３−３２５９４１号公報
【特許文献２】特開２００５−２０８７３４号公報
【発明の開示】
【発明が解決しようとする課題】
【０００４】
上記特許文献１の発明のシステムは、遊技施設用紙幣搬送装置が高価となるため、小型店舗には不向きである。また、特許文献２の発明のものは、遮蔽蓋の開放に伴って紙幣収納器全体が前方へスライドするため、紙幣の取り出し操作ごとに、紙幣投入部から紙幣収納器まで紙幣を搬送する搬送装置の通路から完全に紙幣収納器が分離する。そして、紙幣の取り出し後に遮蔽蓋を閉塞姿勢に戻すことによって、紙幣収納器全体が後方へスライドして収納される。
【０００５】
したがって、特許文献２の発明のものでは、組み立て誤差や部品の寸法誤差によって、搬送装置の通路と紙幣収納器との関係が、正確な結合関係からずれる場合は、紙幣収納器が収納された状態で、この両者の結合部で紙幣が詰まる減少が生じ易くなる。このため、部品の寸法誤差がないような部品製造が要求され、且つ組み立て誤差がないような組み立て手段を講じなければならず、それによって、部品コストアップが生じ、組み立てスピードも遅くなり、製造コストアップとなることが予想される。
【０００６】
本発明は、このような点に鑑みて、紙幣挿入部口から起立状態で挿入された紙幣が、その起立状態のままで識別部を通って紙幣収納部の対向位置へ搬送されて、起立状態で紙幣収納部へ積層収納する形態であって、搬送装置の搬送路から紙幣収納部が分離されない状態でもって、この紙幣収納部はそのままの状態で、積層収納された紙幣が前方へ突出するように構成する。これによって、搬送装置の搬送路と紙幣収納部との結合部での紙幣詰まりが生じない構成とすることができ、特許文献２の発明のような製造コストアップとなる要因もない構成となる紙幣識別装置を提供するものである。
【課題を解決するための手段】
【０００７】
第１発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路の横に配置した紙幣収納部を備えた紙幣識別装置において、前記紙幣収納部は、長辺を上下にした起立状態の紙幣を左右方向に積層する収納形態であって、前記積層された紙幣を前記紙幣収納部から前方へ引き出す引き出し部材を備え、前記引き出し部材の前方移動によって前記積層された紙幣の前部が前記紙幣収納部から前方へ突出可能としたことを特徴とする。
【０００８】
第２発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路に沿って配置した紙幣収納部を備えた紙幣識別装置において、前記紙幣収納部は、長辺を上下にした起立状態の紙幣を左右方向に積層する収納形態であって、前面側扉とこの前面側扉の内方に前記積層された紙幣を前記紙幣収納部から前方へ引き出す引き出し部材を備え、前記引き出し部材は前記前面側扉を開いた状態で前方移動が可能であり、前記引き出し部材の前方移動によって前記紙幣収納部から前記積層された紙幣を取出し可能としたことを特徴とする。
【０００９】
第３発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路に沿って配置した紙幣収納部を備えた紙幣識別装置において、前記紙幣収納部は、長辺を上下にした起立状態の紙幣を左右方向に積層する収納形態であって、前面側扉とこの前面側扉の内方に前記積層された紙幣を前記紙幣収納部から前方へ引き出す引き出し部材を備え、前記引き出し部材は前記前面側扉の開放に伴って自動的に前方移動して前記積層された紙幣の前部が前記紙幣収納部から前方へ突出する構成であることを特徴とする。
【００１０】
第４発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路に沿って配置した紙幣収納部を備えた紙幣識別装置において、前記紙幣収納部は、長辺を上下にした起立状態の紙幣を左右方向に積層する収納形態であって、前面側扉とこの前面側扉の内方に前記積層された紙幣を前記紙幣収納部から前方へ引き出す引き出し部材を備え、この引き出し部材は前方へ移動する状態に前方付勢バネで付勢されており、前記前面側扉を閉じた状態で前記前方付勢バネのバネ力に抗して前記引き出し部材は前記紙幣収納部内の正規位置に収納され、前記前面側扉の開放に伴って前記バネ力によって前記引き出し部材が前方移動して前記積層された紙幣の前部が前記紙幣収納部の前方へ自動的に突出することを特徴とする。
【００１１】
第５発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路の横に配置した紙幣収納部を備えた紙幣識別装置において、押し込み動作ごとに前記復路の起立状態の紙幣をその起立状態で横方向（左右方向）に押して前記紙幣収納部へ収納する押し込み部を備えた押し込み機構を備え、前記紙幣収納部は、押し込み開口が前記押し込み部に対応し前記起立状態の紙幣を横方向（左右方向）に積層収納する収納ボックスと、この収納ボックス内にあって前記起立状態で押し込まれる紙幣の側面を支えるよう前記押し込み開口に向けて横方向（左右方向）にバネ付勢された紙幣押え可動板と、この紙幣押え可動板と共に前記積層された紙幣を前記収納ボックスから前方へ引き出す引き出し部材を備え、前記押し込み動作の待機状態では、前記収納ボックス内の紙幣は前記押し込み部と前記バネ付勢された紙幣押え可動板との間に起立状態で保持され、この状態で紙幣が前記押し込み部をスライドしつつ前記引き出し部材によって前方へ引き出し可能としたことを特徴とする。
【００１２】
第６発明の紙幣識別装置は、第１発明乃至第４発明のいずれかにおいて、前記紙幣収納部は、収納ボックスに長辺を上下にした起立状態の紙幣を左右に積層収納する形態であり、前記収納ボックスは、後部軸を中心として左右方向へ開閉可能で且つ取り外し自在であることを特徴とする。
【００１３】
第７発明の紙幣識別装置は、第５発明において、前記収納ボックスの前面開口に対応して前面側扉を備え、この前面側扉の開放に伴って自動的に前記引き出し部材が前方移動して前記積層された紙幣の前部が前記収納ボックスから前方へ突出するよう前方付勢バネで付勢された構成であることを特徴とする。
【００１４】
第８発明の紙幣識別装置は、第５発明において、前記紙幣収納部は、前記紙幣押え可動板と前記バネと前記引き出し部材を前記収納ボックスに組み合わさった状態で、後部軸を中心として左右方向へ開閉回動可能構成であることを特徴とする。
【００１５】
第９発明の紙幣識別装置は、第１発明乃至第８発明のいずれかに記載の紙幣識別装置を収納したことを特徴とする遊技媒体貸機である。
【００１６】
第１０発明の紙幣識別装置は、第２発明乃至第８発明のいずれかにおいて、前記前面側扉が遊技媒体貸機の前面カバーであることを特徴とする。
【００１７】
第１１発明の紙幣識別装置は、第２発明乃至第８発明のいずれかにおいて、前記引き出し部材は前記前面側扉の裏側に当接するように前方付勢バネで付勢されており、前記前面側扉の開閉に伴って前方移動状態と前記紙幣収納部内の正規位置とに移動可能であり、前記前面側扉は前記遊技媒体貸機の前面扉の開放に伴って前記前方付勢バネのバネ力によって開放し、前記遊技媒体貸機の前面カバーの開放に伴い、前記前方付勢バネのバネ力によって前記引き出し部材の前方移動と前記前面側扉が自動開放して、前記積層された紙幣の前部が前記紙幣収納部の前方へ自動的に突出することを特徴とする。
【発明の効果】
【００１８】
第１発明では、紙幣挿入部口から起立状態で挿入された紙幣が、その起立状態のままで識別部を通って紙幣収納部の対向位置へ搬送されて、起立状態で紙幣収納部へ積層収納する形態であって、搬送装置の搬送路から紙幣収納部が分離されない状態でもって、この紙幣収納部はそのままの状態で、積層収納された紙幣が引き出し部材によって前方へ引き出されるため、搬送装置の搬送路と紙幣収納部との結合関係が、紙幣の取り出し操作ごとに変動しない。このため、搬送装置の搬送路と紙幣収納部との結合部での紙幣詰まりが生じない構成とすることができ、部品のコストアップも抑制でき、組み立てし易く、製造コストも抑制できる構成となる。
【００１９】
第２発明では、第１発明の効果に加えて、紙幣収納部の前面側扉の内方に引き出し部材を備え、引き出し部材は前面側扉を開いた状態で前方移動が可能であるため、前面側扉を開かない限り引き出し部材による紙幣の引き出しができないので、紙幣収納部の積層された紙幣の安定収納状態と、取出し操作の安定化が図れる。
【００２０】
第３発明では、第１発明の効果に加えて、引き出し部材は前面側扉の開放に伴って自動的に前方移動して、積層された紙幣の前部が紙幣収納部から前方へ突出するようになるため、前面側扉を開く操作と、引き出し部材による紙幣の引き出し操作が分離しないので、紙幣の引き出し操作が簡素化され、紙幣の回収作業が迅速化される。
【００２１】
第４発明では、第３発明の効果に加えて、前面側扉を閉じた状態で引き出し部材は、前方付勢バネのバネ力に抗して、前記紙幣収納部内の正規位置に収納されるため、前面側扉と引き出し部材が結合されていなくても、前面側扉の開放に伴ってバネ力によって引き出し部材が前方移動して、積層された紙幣の前部が紙幣収納部の前方へ自動的に突出できる。このため、前方付勢バネのバネ力によって、前面側扉の内側に引き出し部材の前端部が押し圧される関係によって、安定した紙幣の引き出し構成が達成できるものとなる。
【００２２】
第５発明では、第１発明の効果に加えて、押し込み動作の待機状態から紙幣押え可動板を伴って引き出し部材によって積層された紙幣が収納ボックスから前方へ引き出されるとき、紙幣が押し込み機構の押し込み部をスライドしつつ前方へ引き出される。このため、押し込み動作の待機状態のままで、紙幣が収納ボックスから前方へ移動することとなり、紙幣を無理なく引き出しが行なえ、紙幣のジャム現象（詰まり現象）も生じない。
【００２３】
第６発明では、第１発明乃至第４発明の効果に加えて、収納ボックスを側方へ回動させることによって、収納ボックスへの紙幣押し込み開口が紙幣識別装置の筺体外に露出するため、収納ボックス内に蓄積した紙幣を筺体外に取り出すことが容易となる。
【００２４】
第７発明では、第５発明の効果に加えて、前面側扉を閉じた状態で引き出し部材は、前方付勢バネのバネ力に抗して、紙幣収納部内の正規位置に収納されるため、前面側扉と引き出し部材が結合されていなくても、前面側扉の開放に伴ってバネ力によって引き出し部材が前方移動して、積層された紙幣の前部が紙幣収納部の前方へ自動的に突出できる。このため、前方付勢バネのバネ力によって、前面側扉の内側に引き出し部材の前端部が押し圧される関係によって、安定した紙幣の引き出し構成が達成できるものとなる。
【００２５】
第８発明の紙幣識別装置は、第５発明において、紙幣収納部は、紙幣押え可動板とバネと引き出し部材を収納ボックスに組み合わさった状態で、後部軸を中心として左右方向へ開閉可能構成であるため、これらの組み合わせ状態を変更することなく紙幣収納部を開閉でき、第８発明の効果を奏する遊技媒体貸機となる。
【００２６】
第９発明では、第１発明乃至第８発明の効果を奏する遊技媒体貸機となる。
【００２７】
第１０発明では、第２発明乃至第８発明の効果を奏する遊技媒体貸機となる。
【００２８】
第１１発明では、第２発明乃至第８発明の効果に加えて、遊技媒体貸機の前面カバーによって前面側扉が閉じた状態に保持されると共に、前面側扉によって引き出し部材が紙幣収納部内の正規位置に収納されるため、前面側扉の閉止と引き出し部材の押し込み操作が簡単化される。また、遊技媒体貸機の前面カバーを開くことに伴って、前面側扉の開成と引き出し部材の前方移動が自動的に行なわれるため、紙幣の引き出し操作が容易となる。
【発明を実施するための最良の形態】
【００２９】
本発明の紙幣識別装置は、長方形状の紙幣の長辺を上下にして紙幣を起立状態で一方の短辺側から挿入する縦形の紙幣挿入部と、この紙幣挿入部側と奥側にそれぞれ配置した回転輪に掛け渡されたエンドレスベルトの駆動によって前記紙幣挿入部から挿入された紙幣を奥側に搬送する往路と前記奥側の回転輪を回って前記紙幣挿入部側へ向けて搬送する復路とを形成した搬送装置と、この搬送装置で搬送される紙幣の真偽識別用検出部と、この検出部で検出された真正紙幣を収納するよう前記復路の横に配置した紙幣収納部を備えた紙幣識別装置において、前記紙幣収納部は、紙幣をその長辺を上下にした起立状態で左右方向に積層する収納形態であって、前記積層された紙幣を前記紙幣収納部から前方へ引き出す引き出し部材を備え、前記引き出し部材の前方移動によって前記積層された紙幣の前部が前記紙幣収納部から前方へ突出可能とした構成であり、本発明の実施例を以下に記載する。
【実施例１】
【００３０】
次に、本発明の実施の形態について説明する。図１は本発明に係る紙幣識別装置を組み込んだ遊技媒体貸機の前面カバーを開いた正面斜視図、図２は本発明に係る紙幣識別装置の前面側扉を開いた正面図、図３は本発明に係る紙幣識別装置の前面側扉を閉じた右側面図、図４は本発明に係る紙幣識別装置の前面側扉を閉じた左側面図、図５は本発明に係る紙幣識別装置の平面図、図６は本発明に係る紙幣収納部を開いた状態の紙幣識別装置の平面図、図７は本発明に係る紙幣搬送通路開閉扉を開いた状態の紙幣識別装置の平面図、図８は本発明に係る紙幣識別装置の紙幣収納部を示す斜視図、図９は本発明に係る紙幣収納部の収納ボックスと紙幣押え可動板と引き出し部材の分解斜視図、図１０は本発明に係る紙幣収納部の縦断正面図、図１１は本発明に係る紙幣識別装置の前面側扉を閉じたときの引き出し部材の状態を示す左側面図、図１２は本発明に係る紙幣識別装置の前面側扉を開いたときの引き出し部材の状態を示す左側面図、図１３は本発明に係る紙幣識別装置の内部構成を示す平面図、図１４は本発明に係る紙幣収納部と紙幣収納機構との関係を示す図１３のＡ―Ａ箇所の縦断面図、図１５は本発明に係る紙幣収納機構が紙幣を収納しようとする位置へ作動した状態を示す図１３のＡ―Ａ箇所の縦断面図、図１６は遊技装置の正面図、図１７は本発明に係る紙幣識別装置の前面側扉を遊技媒体貸機の前面カバーで兼用した構成の前面カバーを開いた正面斜視図である。
【００３１】
本発明の実施の形態を図に基づき説明する。本発明に係る紙幣識別装置１０が適用される装置の一つとして、図１６に示すように、遊技機１とその遊技機１相互の間に設置される遊技媒体の貸機２との併設で構成される遊技装置があり、本発明に係る紙幣識別装置１０は、この遊技媒体の貸機２内に組み込まれる。遊技媒体の貸機２は、遊技機１に使用する遊技媒体がパチンコ玉である場合は、そのパチンコ玉の貸機２であり、また、遊技機１に使用する遊技媒体がメダルである場合は、貸機２がメダルの貸機であり、いずれの場合も同様であるため、以下の実施例では、遊技媒体の貸機２を単に貸機２と称することとする。
【００３２】
貸機２は、その前面接客面に開口した紙幣挿入部１１へ所定額の紙幣１００を挿入することによって、所定数の遊技媒体（パチンコ玉やメダル）がその前面の払い出し口２Ｄへ払い出され、又はノズル（図示せず）を介して所定数の遊技媒体（パチンコ玉やメダル）が遊技機１の前面に設けた受け皿１Ｄへ払い出される。
【００３３】
貸機２内には、奥方向へ長い矩形状の筺体１２に各部が収納された紙幣識別装置１０が組み込まれている。紙幣識別装置１０は、長方形状の紙幣１００の長辺を上下にして紙幣を起立状態で一方の短辺側から挿入する縦形の紙幣挿入部１１が、接客面側である筺体１２の前面に開口している。そして、紙幣挿入部１１から挿入された紙幣１００を奥側に搬送する搬送装置１６は、紙幣挿入部１１側に配置した回転輪１３Ａと、奥側に配置した回転輪１３Ｂと、これら回転輪１３Ａと回転輪１３Ｂにそれぞれ掛け渡されたエンドレスベルト１４を備え、エンドレスベルト１４の駆動によって、紙幣挿入部１１から挿入された紙幣１００を搬送する搬送通路１５として、紙幣挿入部１１から挿入された紙幣１００を奥側に搬送する往路１５Ａと、奥側の回転輪１３Ｂを回って紙幣挿入部側へ向けて搬送する復路１５Ｂとを形成している。搬送通路１５は、往路１５Ａと、回転輪１３Ｂを回るＵターン部と、検出部１７を過ぎた復路１５Ｂの範囲までの間を搬送される紙幣１００の面に対向するように、搬送通路壁１５Ｈを形成している。また、搬送装置１６は、奥側に配置した回転輪１３Ｂを駆動輪とし、紙幣挿入部１１側に配置した回転輪１３Ａを従動輪として具備する。このため、搬送装置１６は、電動機（図示せず）とこの電動機によって回転する歯車機構（図示せず）を備えた駆動機構部３３によって、奥側に配置した回転輪１３Ｂを回転駆動し、それによってエンドレスベルト１４が回転駆動され、それに追随して回転輪１３Ａが回転する仕組みである。回転輪１３Ａと回転輪１３Ｂは、それぞれ紙幣１００の短辺方向の幅内に収まる間隔でもって軸１３Ａ１と軸１３Ｂ１に支持した上下一対の回転輪１３Ａ、１３Ａと回転輪１３Ｂ、１３Ｂで構成しており、上側の回転輪１３Ａと１３Ｂ、及び下側の回転輪１３Ａと１３Ｂには、それぞれ上側のエンドレスベルト１４と下側のエンドレスベルト１４が架け渡され、この上下２本のエンドレスベルト１４でもって紙幣１００の上部と下部を支えて搬送する構成である。
【００３４】
紙幣識別装置１０は、更に、この搬送装置１６で搬送される紙幣１００の真偽を識別する識別部の検出部（センサ）１７と、この検出部１７で検出され前記識別部で識別された真正紙幣１００を収納する紙幣収納部１８を備えている。実施例の検出部１７は、発光部１９Ａと受光部１９Ｂで構成した光学検出部１９と、磁気ヘッド２０Ａとプッシャローラ２０Ｂで構成した磁気検出部２０とを備えているが、これに限定されない。光学検出部１９は、紙幣１００の印刷模様の濃淡に応じて発光部１９Ａから受光部１９Ｂへ到達する光量が異なることによって、紙幣１００の印刷模様を検出して紙幣１００の真偽を識別する。また、磁気検出部２０は、エンドレスベルト１４で搬送される紙幣１００がプッシャローラ２０Ｂで磁気ヘッド２０Ａへ押し圧され、その紙幣１００の印刷模様に使用されている磁気量を検出して紙幣１００の真偽を識別する。
【００３５】
検出部１７は搬送装置１６の復路１５Ｂに配置され、検出部１７よりも紙幣挿入部１１側に紙幣収納部１８が配置されている。また、紙幣挿入部１１側に配置した回転輪１３Ａの直径に比して奥側に配置した回転輪１３Ｂの直径が大きく、回転輪１３Ｂの直径が回転輪１３Ａの直径の略２倍であり、回転輪１３Ａの直径が７乃至８ｍｍであり、回転輪１３Ｂの直径が１４乃至１６ｍｍであり、実施例では、回転輪１３Ａの直径が７．５ｍｍであり、回転輪１３Ｂの直径が１５ｍｍである。これによって、回転輪１３Ａから回転輪１３Ｂまでの往路１５Ａは、直線状であり、紙幣挿入部１１から挿入された紙幣１００が、往路１５Ａを直線的に搬送される。この直線状の搬送状態を維持するために、搬送装置１６は、往路１５Ａの上下配置のエンドレスベルト１４をそれぞれ左右から上下配置の２１Ａ、２１Ａと上下配置の２１Ｂ、２１Ｂ、及び上下配置の２２Ａ、２２Ａと上下配置の２２Ｂ、２２Ｂの前後一対の支持ローラで支持している。
【００３６】
ローラ２１Ａ、２２Ａは、それぞれ軸２１Ａ１と軸２２Ａ１によって回転可能に支持された固定ローラであり、回転輪１３Ａと同じ直径でもって回転輪１３Ａと一直線上に配置されて、往路１５Ａを直線的に形成している。ローラ２１Ｂ、２２Ｂは、それぞれ対応するローラ２１Ａ、２２Ａに向けてバネ付勢された押し圧ローラである。ローラ２１Ａ、２２Ａは、それぞれ紙幣１００の短辺方向の幅内に収まる間隔でもって、上下配置のエンドレスベルト１４に対応して、軸２１Ａ１と軸２２Ａ１に支持した上下一対のローラ２１Ａ、２１Ａと、２２Ａ、２２Ａで構成され、ローラ２１Ｂ、２２Ｂは、それぞれ紙幣１００の短辺方向の幅内に収まる間隔でもって、上下配置のエンドレスベルト１４に対応して、軸２１Ｂ１と軸２２Ｂ１に支持した上下一対のローラ２１Ｂ、２１Ｂとローラ２２Ｂ、２２Ｂで構成している。また、搬送装置１６は、上下の回転輪１３Ａ、１３Ａに向けてそれぞれバネ付勢された上下の押し圧ローラ２３、２３でエンドレスベルト１４が押し圧されている。
【００３７】
搬送通路１５が紙幣識別装置１０の前後方向軸ＰＬに平行状態となるように、回転輪１３Ａの回転中心である軸１３Ａ１の中心よりも回転輪１３Ｂの回転中心である軸１３Ｂ１の中心が側方（図８では左方）へ偏移している。これによって、直線状の往路１５Ａは、前後方向軸ＰＬに平行状態である。
【００３８】
搬送装置１６の復路１５Ｂのエンドレスベルト１４が往路１５Ａのエンドレスベルト１４と平行状態となるように、即ち、奥側の回転輪１３Ｂを回ったエンドレスベルト１４を往路１５Ａに位置するエンドレスベルト１４と平行状態となるように、復路１５Ｂに位置するエンドレスベルトを変位させる押し圧ローラ２４を備えている。実施例では、検出部１７を通る復路１５Ｂのエンドレスベルト１４が、往路１５Ａのエンドレスベルト１４と平行状態となるように、押し圧ローラ２４は、回転輪１３Ｂと検出部１７近傍において、回転輪１３Ｂと検出部１７の間に配置され、検出部１７の上流側（エンドレスベルト１４の移動方向の上流側）で、復路１５Ｂのエンドレスベルト１４が押し圧されている。
【００３９】
上記のように、奥側に配置した回転輪１３Ｂの直径が前側の回転輪１３Ａの直径よりも大きいため、回転輪１３Ｂの直径の投影範囲内に検出部１７が配置された関係である。即ち、紙幣識別装置１０の前面または後面から搬送装置１６の搬送通路１５を見たとき、検出部１７が回転輪１３Ｂの直径の範囲内に入った状態である。このようにするために、上記の構成では、復路１５Ｂに配置した検出部１７よりも紙幣挿入部１１側に紙幣収納部１８を配置し、紙幣挿入部１１側に配置した回転輪１３Ａの直径に比して奥側に配置した回転輪１３Ｂの直径を大きくし、検出部１７を通るエンドレスベルト１４が往路１５Ａのエンドレスベルト１４と平行状態となるように、奥側の回転輪１３Ｂと検出部１７の間においてエンドレスベルト１４を変位させる押し圧ローラ２４を備えている。
【００４０】
このように、紙幣識別装置１０の前面又は後面から搬送装置１６の搬送通路１５を見たとき、検出部１７が回転輪１３Ｂの直径の範囲内に入った状態であるため、紙幣識別装置１０の薄型化が達成できる。
【００４１】
紙幣収納部１８は、検出部１７よりも紙幣挿入部１１側に寄った位置で搬送通路１５の復路１５Ｂに平行して配置されている。紙幣収納部１８は、後端部を筺体１２の上下壁から対向するように突出した上下軸２９に回動可能に支持した収納ボックス３０で構成されている。収納ボックス３０は、復路１５Ｂを通るエンドレスベルト１４に対面して紙幣１００の押し込み開口２８が形成され、復路１５Ｂを搬送された紙幣１００をそのままの姿勢で、即ち、長方形状の紙幣の長辺を上下にして紙幣１００を起立状態で左右方向に重ね合わせで収納される。
【００４２】
搬送通路１５の往路１５Ａと復路１５Ｂの上下壁を形成するように、往路１５Ａと復路１５Ｂを搬送される紙幣１００の上下両端部に対応して、上下のガイド部材２５Ａ、２５Ｂが配置されている。上下のガイド部材２５Ａ、２５Ｂは、往路１５Ａと復路１５Ｂ間を区画する壁２６と、復路１５Ｂと紙幣収納部１８を区画する壁２７を備えている。上下のガイド部材２５Ａ、２５Ｂの間にエンドレスベルト１４が配置され、復路１５Ｂの壁２７、２７相互間が紙幣１００の押し込み部３２となり、押し込み部３２を通して後述の押し込み機構４０によって、紙幣１００が押し込み開口２８から収納ボックス３０内へ押し込まれる。
【００４３】
駆動側回転輪１３Ｂを駆動する駆動部と、押し込み機構４０を駆動する駆動部とは、それぞれ電動機とそれによって回転する歯車機構からなり、それらを駆動機構部３３として表示している。
【００４４】
押し込み機構４０は、駆動機構部３３によって軸３６を中心として往復回転する上下配置のカム３４と、軸３７を中心として回動可能に支持され、それぞれ上下配置のカム３４の円周部に設けた突起３５に嵌まり合う溝３８を形成した上下配置のリンク３９を備え、上下配置のリンク３９の側面にはそれぞれ押し込み部２７Ａを備えたガイド部材２５Ａ、２５Ｂが取り付けられた構成である。
【００４５】
この構成において、紙幣挿入部１１に対する紙幣１００の押し込み動作の待機状態では、ガイド部材２５Ａ、２５Ｂは、図１４の実線位置で待機している。この状態において、紙幣挿入部１１に紙幣１００の先端部が挿入されると、紙幣挿入部１１の近傍奥に配置した挿入検知部４１がその紙幣１００の挿入を検知し、前記電動機が正方向回転始動して駆動機構部３３の動作によって駆動側回転輪１３Ｂが正方向回転し、エンドレスベルト１４が駆動してその紙幣１００が搬送通路１５の往路１５Ａを搬送される。この往路１５Ａの終端部から回転輪１３Ｂを回り、搬送通路１５の復路１５Ｂに搬送されて押し圧ローラ２４を通って検出部１７を通過しつつ、検出部１７で検出した紙幣１００の模様や材質のデータが読み取られ、このデータに基づき識別部において真偽判定される。復路１５Ｂに搬送された紙幣１００は、一旦、紙幣収納部１８の押し込み開口２８に対応した位置まで搬送され、その時点で待機するよう前記電動機が停止して搬送が停止する。この紙幣１００の待機位置は、図１４の１００Ａの状態である。
【００４６】
もし、この真偽判定によって偽紙幣と判定されれば、前記電動機が逆方向回転して駆動機構部３３の動作によって駆動側回転輪１３Ｂが逆方向回転し、エンドレスベルト１４が逆方向駆動されて、その紙幣１００が搬送通路１５の復路１５Ｂから往路１５Ａを経て、紙幣挿入部１１に返却される。一方、紙幣１００が真偽判定によって真正紙幣と判定されれば、紙幣収納部１８に対応した位置で待機していた紙幣１００は、前記電動機が始動して駆動機構部３３の動作によって上下配置のカム３４が回転する。このカム３４の正方向回転によって、上下配置のリンク３９は突起３５が溝３８をスライドする関係によって押されつつ軸３７を中心として正方向回動し、図１５に示す所定位置でスイッチ（図示せず）が作動して駆動機構部３３の前記電動機の正方向回転を停止する。この回動に伴って、ガイド部材２５Ａ、２５Ｂの壁２７、２７は、紙幣１００の上下両端を曲げながら押し退けつつ、壁２７、２７が紙幣１００の上下両端を通り過ぎた位置で、カム３４の回転が停止されるように制御される。この状態で、曲げられた紙幣１００の上下両端は、自己の復元力によって図１５に示すように元の方向へ戻る。
【００４７】
次に、前記電動機が逆方向回転して駆動機構部３３の動作によって、カム３４の逆方向回転によって、上下配置のリンク３９は突起３５が溝３８をスライドする関係によって押されつつ軸３７を中心として逆方向回動する。この回動によって壁２７、２７の先端部である押し込み部２７Ａが紙幣１００の上下両端部付近を収納ボックス３０方向へ押すため、紙幣１００が押し込み開口２８を通って収納ボックス３０内へ押し込まれる。カム３４の逆方向回転は、紙幣１００の押し込み動作の待機状態（待機位置）に復帰したとき、スイッチ（図示せず）が作動して、駆動機構部３３の前記電動機の逆方向回転を停止する。この状態が図１４の状態である。
【００４８】
このようにして、挿入された真正紙幣１００は、順次収納ボックス３０内へ押し込まれて積層状態で蓄積される。収納ボックス３０内には、板バネ４２で押し込み開口２８の方向へ付勢された紙幣押え可動板である可動底板４３を備えている。このため、上記のように押し込み部２７Ａによって収納ボックス３０内へ押し込まれた紙幣１００は、可動底板４３によって押し込み開口２８へ向けて付勢され、蓄積された最上部の紙幣１００の上下両端部付近は、図１４に示すように、押し込み部２７Ａに当接する状態に保持される。
【００４９】
この状態において、前述のように、ガイド部材２５Ａ、２５Ｂが図１５の状態へ回動したときは、蓄積された最上部の紙幣１００から押し込み部２７Ａが離れるため、可動底板４３によって押し込み開口２８の方向へ付勢された蓄積紙幣１００のうち、最上部の紙幣１００が収納ボックス３０の押し込み開口２８縁部に形成したストッパ４４に当接して、押し込み開口２８からの飛び出しが防止される。また、上記のように、ガイド部材２５Ａ、２５Ｂの回動によって押し込み部２７Ａが紙幣１００の上下両端部付近を収納ボックス３０方向へ押すとき、板バネ４２に抗して可動底板４３が押し込まれ、紙幣１００が押し込み開口２８を通って収納ボックス３０内へ押し込まれる。
【００５０】
上記のように、紙幣識別装置１０は、筺体１２内に、搬送装置１６と、検出部１７と、紙幣収納部１８と、駆動機構部３３と、押し込み機構４０を組み込んでおり、検出部１７を復路１５Ｂに配置し、検出部１７よりも紙幣挿入部１１側に紙幣収納部１８を配置している。これによって、紙幣識別装置１０の左右幅を小さくできる。その具体的な一つの構成として、紙幣挿入部１１側に配置した回転輪１３Ａの直径に比して奥側に配置した回転輪１３Ｂの直径を大きくし、検出部１７を通るエンドレスベルト１４が往路１５Ａのエンドレスベルト１４と平行状態となるように、奥側の回転輪１３Ｂと検出部１７の間において、エンドレスベルト１４を変位させる押し圧ローラ２４を備えることによって、紙幣識別装置１０の前面又は後面から搬送装置１６の搬送通路１５を見たとき、検出部１７が回転輪１３Ｂの直径の投影範囲内に入る配置ができ、紙幣識別装置１０の薄型化が達成できる。このため、左右幅が４０ｍｍの貸機２内に組み込む紙幣識別装置１０を作製できることとなり、収納ボックス３０内に紙幣１００を略１００枚収納できる構成にできる。
【００５１】
本発明では、紙幣収納部１８に収納された紙幣１００を取り出し易くするための特定構成を有する。上記のように、紙幣識別装置１０は、長方形状の紙幣の長辺を上下にして紙幣を起立状態で一方の短辺側から挿入する縦形の紙幣挿入部１１と、この紙幣挿入部１１側と奥側にそれぞれ配置した回転輪１３Ａと１３Ｂに掛け渡されたエンドレスベルト１４の駆動によって紙幣挿入部１１から挿入された紙幣１００を奥側に搬送する往路１５Ａと奥側の回転輪１３Ｂを回って紙幣挿入部１１側へ向けて搬送する復路１５Ｂとを形成した搬送装置１６と、この搬送装置１６で搬送される紙幣１００の真偽識別用検出部１７と、この検出部１７で検出された真正紙幣を収納するよう復路１５Ｂに沿って配置した紙幣収納部１８を備えている。
【００５２】
そして、紙幣収納部１８は、紙幣１００をその長辺を上下にした起立状態で左右方向に積層する収納形態であって、開放した前面開口５２を開閉するように前面側扉５０と、この前面側扉５０の内方に前記積層された紙幣１００を紙幣収納部１８の前方へ引き出す引き出し部材５１を備えている。
【００５３】
紙幣収納部１８の具体的構成と、引き出し部材５１による紙幣１００の具体的取出し構成を以下に説明する。紙幣収納部１８は、上記のように、復路１５Ｂを通るエンドレスベルト１４に対面して紙幣１００の押し込み開口２８が形成された収納ボックス３０で構成されている。収納ボックス３０は、起立した姿勢で復路１５Ｂを搬送される紙幣１００をそのままの姿勢で、即ち、長方形状の紙幣の長辺を上下にして紙幣１００を起立状態でもって、ガイド部材２５Ａ、２５Ｂの回動に伴って押し込み部２７Ａによって、板バネ４２のバネ力に抗して紙幣押え可動板４３を側方（図では右方）へ押して収納ボックス３０に収納する。そして、押し込み動作の待機状態では、収納ボックス３０内の紙幣１００は、押し込み部２７Ａとバネ付勢された紙幣押え可動板４３との間に起立状態で保持されている。
【００５４】
収納ボックス３０は、紙幣識別装置１０の筺体１２内に縦長に配置され、復路１５Ｂに対面するように側方に開口した押し込み開口２８が形成され、前面には縦長の前面開口５２を形成し、この前面開口５２を前面側扉５０で開閉する。前面側扉５０は、その下部を筺体１２の下部側壁に回動可能に軸支持部５０Ａで支持されている。
【００５５】
図１、図８、図１１等に示すように、紙幣挿入部１１と前面開口５２は、紙幣識別装置１０の筺体１２の前面壁１２ＡＦよりも前方へ突出している。そして、前面側扉５０には、筺体１２に対して閉じたとき、紙幣挿入部１１が臨む縦長の孔５３を備えている。図では、紙幣挿入部１１が縦長の孔５３に入り込む構成である。これによって、前面側扉５０を閉じたとき、前面開口５２は前面側扉５０によって閉じられるが、紙幣挿入部１１は縦長の孔５３によって前方へ開放している。前面側扉５０は、閉じた状態をラッチ部などの保持機構部５５によって保持され、前面側扉５０の上部を前方へ強く引くことによって、保持機構部５５から外れて開くことができる構成である。
【００５６】
引き出し部材５１は上辺５１Ｂと後辺５１Ｃを備えた略Ｌ字状をなし、上辺５１Ｂの前端に上方へ折り曲げた操作部５１Ａを備え、後辺５１Ｃは紙幣押え可動板４３の後端面に対抗している。引き出し部材５１は、収納ボックス３０に対して安定して前後移動可能にするために、上辺５１Ｂには、収納ボックス３０の上壁に形成した前後方向長孔５７、５７にスライド可能に嵌合するガイドピン５８、５８を備えている。引き出し部材５１は、筺体１２の後壁に取り付けた上下配置のコイル状の前方付勢バネ５６によって、常時前方へ移動する状態に付勢されている。このため、前面側扉５０を閉じた状態で、引き出し部材５１の前端部である操作部５１Ａが前面側扉５０の内側に当接して前方への移動が制限されている。そして、引き出し部材５１は前面側扉５０を開いた状態で、前方付勢バネ５６によって前方移動が可能であり、引き出し部材５１の前方移動によって紙幣収納部１８から積層された紙幣１００を取出し可能とした構成である。
【００５７】
板バネ４２は、図９に示すように、紙幣押え可動板４３を略均等に押し込み開口２８に向けて押すために、前後方向に長い矩形状をなし、中間部を紙幣押え可動板４３に固定具４２Ａによって固定し、前後の部分が紙幣押え可動板４３から浮いている。引き出し部材５１の前方移動に伴って、紙幣押え可動板４３と板バネ４２が安定して前方移動するために、板バネ４２の前後部には、収納ボックス３０の底壁に相当する縦壁に形成した前後方向長孔５９、５９にスライド可能に嵌合するガイドピン６０、６０を備えている。板バネ４２の後部分は、引き出し部材５１の後辺５１Ｃに可撓性の連結部材６２によって連結されている。この連結部材６２によって、引き出し部材５１の引き出しと収納に伴って、板バネ４２と紙幣押え可動板４３が、引き出し部材５１と連動する。
【００５８】
引き出し部材５１は、筺体１２の後壁に取り付けた上下配置のコイル状の前方付勢バネ５６によって、常時前方へ移動する状態に付勢されている。このため、前面側扉５０を閉じた状態で、引き出し部材５１の前端部である操作部５１Ａが前面側扉５０の内側に当接しており、この状態で、前方付勢バネ５６のバネ力に抗して引き出し部材５１は紙幣収納部１８内、即ち収納ボックス３０内の正規位置に収納された状態である。もちろん、紙幣押え可動板４３と板バネ４２も、収納ボックス３０内の正規位置に収納された状態である。
【００５９】
貸機２の本体の前面２Ａ全体を覆うように、貸機２の前面には、下部をヒンジ装置５４によって回動自在に支持された前面カバー４６を備えている。前面カバー４６を閉じることによって、貸機２内の収納部４７に組み込まれて前面側扉５０で閉じた紙幣識別装置１０の前面が覆われる。前面カバー４６には、紙幣挿入部１１に直線的に連通した紙幣挿入用開口４８が形成され、貸機２の前面を覆うように閉じた状態で、前面カバー４６は貸機２の前面の施錠部４９Ａに係止する錠装置４９によって保持され、この状態で収納ボックス３０内の紙幣１００を抜き取ることはできない。
【００６０】
前面側扉５０と前面カバー４６が閉じた状態で、上記のように、押し込み動作の待機状態では、収納ボックス３０内の紙幣１００は、板バネ４２によって付勢された紙幣押え可動板４３によって、押し込み開口２８に向けて押されて押し込み部２７Ａに当接し、押し込み部２７Ａと紙幣押え可動板４３との間に起立状態で保持されている。この状態で前面カバー４６を開いた状態で、前面側扉５０の開放に伴って、前方付勢バネ５６によって前面側扉５０の内側部を操作部５１Ａがスライドしつつ、引き出し部材５１が前方移動する。引き出し部材５１の前方移動と共に、引き出し部材５１の後辺５１Ｃによって紙幣押え可動板４３の後端面が押されるため、引き出し部材５１と共に、紙幣押え可動板４３と板バネ４２も前方移動する。これによって、紙幣収納部１８内、即ち収納ボックス３０内に積層された紙幣１００の前部が、紙幣収納部１８、即ち収納ボックス３０の前方へ自動的に突出する。この自動突出状態は、ガイドピン５８、５８と、ガイドピン６０、６０が、それぞれ対応する前後方向長孔５７、５７の前端と、前後方向長孔５９、５９の前端に当接する位置で制限される。なお、製造上からすれば、ガイドピン５８、５８、６０、６０のうちの一つが、それに対応する前後方向長孔５７、５７、５９、５９のうちの一つの前端に当接し、その他のガイドピンは対応する前後方向長孔の前端の手前となる関係に構成すればよい。この突出長さは、略１５ｍｍから３０ｍｍであるが、これに限定されない。
【００６１】
このように、前面側扉５０の開放に伴って、収納ボックス３０内に積層された紙幣１００の前部が、自動的に前方へ突出するため、この積層された紙幣１００の突出部を摘まんで紙幣１００を前方へ引き出すことができる。このため、遊技場の閉店時の紙幣回収作業がし易くなる。
【００６２】
なお、前方付勢バネ５６によって引き出し部材５１が前方移動する位置が、ガイドピン５８、５８と、ガイドピン６０、６０が、それぞれ対応する前後方向長孔５７、５７の途中と、前後方向長孔５９、５９の途中で停止するように設定することができる。この構成では、この自動突出状態から、手動によって引き出し部材５１の操作部５１Ａを前方へ引くことによって、更に引き出し部材５１を大きく前方へ引き出すことができる。この引き出し長さは、ガイドピン５８、５８と、ガイドピン６０、６０が、それぞれ対応する前後方向長孔５７、５７と、前後方向長孔５９、５９の前端に当接する位置までである。
【００６３】
前面カバー４６と前面側扉５０を開いて紙幣回収作業を行うときは、押し込み機構４０の押し込み部２７Ａは、図１４の実線のように、押し込み動作の待機状態であるため、引き出し部材５１が、上記のように自動的に前方へ移動するとき、及び操作部５１Ａを前方へ引くことによって更に前方移動するとき、収納ボックス３０内に積層された紙幣１００は、その側面が押し込み部２７Ａに沿って押し込み部２７Ａをスライドしつつ前方へ引き出される。このため、紙幣１００が引っかかることなく、引き出し部材５１の前方移動がスムースに行える。
【００６４】
紙幣回収作業が終了した後は、操作部５１Ａを後方へ押すことによって、ガイドピン５８、５８と、ガイドピン６０、６０が、それぞれ対応する前後方向長孔５７、５７と、前後方向長孔５９、５９をスライドして、引き出し部材５１を収納ボックス３０内に押し込むことができる。次いで、前面側扉５０を閉じることによって、操作部５１Ａが前面側扉５０の内側に当接しており、この状態で、前方付勢バネ５６のバネ力に抗して引き出し部材５１は紙幣収納部１８内、即ち収納ボックス３０内の正規位置に収納された状態である。もちろん、紙幣押え可動板４３と板バネ４２も、収納ボックス３０内の正規位置に収納された状態である。
【００６５】
なお、引き出し部材５１をラッチ部などの保持機構部によって収納ボックス３０内に保持する構成の場合には、前面側扉５０を開放した後、引き出し部材５１をこの保持機構部から引き外すことによって、上記のように、前方付勢バネ５６のバネ力によって、紙幣収納部１８内、即ち収納ボックス３０内に積層された紙幣１００の前部が、紙幣収納部１８、即ち収納ボックス３０の前方へ自動的に突出する。また、前方付勢バネ５６を設けない場合は、前面側扉５０を開放した後、引き出し部材５１の操作部５１Ａを前方へ引くことによって、引き出し部材５１を大きく前方へ引き出すことができる。
【００６６】
上記の構成では、紙幣識別装置１０の前面を前面側扉５０で覆い、貸機２の前面にヒンジ装置５４によって回動自在に支持された前面カバー４６によって、その前面を覆っているが、前面側扉５０を省いて、前面カバー４６のみによって紙幣識別装置１０の前面を覆うこともできる。即ち、前面カバー４６が閉じた状態で、押し込み動作の待機状態では、収納ボックス３０内の紙幣１００は、板バネ４２によって付勢された紙幣押え可動板４３によって、押し込み開口２８に向けて押されて押し込み部２７Ａに当接し、押し込み部２７Ａと紙幣押え可動板４３との間に起立状態で保持されている。そして、前面カバー４６が閉じた状態で、引き出し部材５１の前端部である操作部５１Ａが前面カバー４６の内側に当接し、この状態で、前方付勢バネ５６のバネ力に抗して引き出し部材５１は紙幣収納部１８内、即ち収納ボックス３０内の正規位置に収納された状態である。もちろん、紙幣押え可動板４３と板バネ４２も、収納ボックス３０内の正規位置に収納された状態である。
【００６７】
この状態で前面カバー４６を開くことに伴って、前方付勢バネ５６によって引き出し部材５１が前方移動する。引き出し部材５１の前方移動と共に、引き出し部材５１の後辺５１Ｃによって紙幣押え可動板４３の後端面が押されるため、引き出し部材５１と共に、紙幣押え可動板４３と板バネ４２も前方移動する。これによって、上記同様に、紙幣収納部１８内、即ち収納ボックス３０内に積層された紙幣１００の前部が、紙幣収納部１８、即ち収納ボックス３０の前方へ自動的に突出するようになる。
【００６８】
紙幣収納部１８に積層された紙幣１００の前端部を掴んで引き出し易くするために、収納ボックス３０と、紙幣押え可動板４３と、紙幣挿入部１１の前端部の中央部には、後方へ窪ませた切り欠き６１を形成している。
【００６９】
収納ボックス３０を収納ボックス３０は、その底壁３０Ａ方向へ開口したＬ字状の係止溝３１が上下壁の後端部に形成されており、図１３に示すように、筺体１２の上下壁から対向突出した上下軸２９が、このＬ字状の係止溝３１の開口から奥部へ入り込むように係止させた状態で、上下軸２９を中心として収納ボックス３０を筺体１２内に左右方向へ回動にて開閉可能であり、収納ボックス３０が筺体１２内に図１３に示す状態に収納される。このように収納ボックス３０が筺体１２内に収納された状態を保持するための係止手段を適宜設けている。また、上下軸２９を中心として図６及び図１３に示すＹ方向へ収納ボックス３０を回動（側方へ回動）させることによって、収納ボックス３０の押し込み開口２８が筺体１２外に露出するため、押し込み開口２８から収納ボックス３０内に蓄積した紙幣１００を筺体１２外に取り出すことができる。また、上下軸２９からＬ字状の係止溝３１の係止を外すことによって、収納ボックス３０は、筺体１２から取り外すことができる。
【００７０】
紙幣識別装置１０が貸機２内の収納部４７へ前面から挿入によって組み込まれ、前面から引き出し自在であり、紙幣識別装置１０を収納部４７へ組み込んだ状態を図１に示している。貸機２の前面カバー４６を開いた状態で、収納ボックス３０全体が貸機２の前方へ露出する位置まで、紙幣識別装置１０が引き出せる構成である。この引き出し状態において、前面側扉５０を開き、上下軸２９を中心として図６及び図８に示すように、Ｙ方向へ収納ボックス３０を回動させることによって、収納ボックス３０の押し込み開口２８が筺体１２外に露出する。このため、押し込み開口２８から収納ボックス３０内に蓄積した紙幣１００を筺体１２外に取り出すこともできる。また、この引き出し状態において、上下軸２９からＬ字状の係止溝３１の係止を外すことによって、収納ボックス３０は、筺体１２から取り外すことができるため、この状態でも収納ボックス３０内の紙幣１００を取り出すことができる。このような構成によって、修理、点検などをし易い構成でもある。
【００７１】
また、搬送装置１６の搬送通路１５の修理、点検等のし易さのために、図７に示すように、往路１５Ａ側の筺体１２の側壁の一部分が開閉扉１２Ａで構成されている。このため、搬送通路１５に紙幣１００が詰ったときの紙幣１００の取り除きや、回転輪１３の状況確認等は、貸機２から紙幣識別装置１０を引き出した状態で行うことができる。また図７に示すように、検出部１７も光学検出部１９と磁気検出部２０を一つのケース１７Ｂに収納したユニット構成であるため、このユニットのケース１７Ｂが筺体１２に軸支持部１７Ａを中心に開閉できる構成であり、貸機２の前方へ紙幣識別装置１０を引き出した状態で、ユニットを開くことによって検出部１７の点検、修理等ができるようになっている。
【００７２】
上記の構成では、往路１５Ａのエンドレスベルト１４は直線状であって、復路１５Ｂのエンドレスベルト１４を奥側の回転輪１３Ｂの手前側で押し圧ローラ２４によって押し、検出部１７が復路１５Ｂにおいて回転輪１３Ｂの直径の投影範囲内に入る配置であるが、この構成に替えて、往路１５Ａのエンドレスベルト１４を奥側の回転輪１３Ｂの手前側で押し圧ローラ２４によって押して復路１５Ｂのエンドレスベルト１４と平行状態となるように偏移させ、検出部１７が押し圧ローラ２４の手前側の往路１５Ａにおいて、回転輪１３Ｂの直径の投影範囲内に入る配置とし、紙幣収納部１８を検出部１７よりも紙幣挿入部１１側に寄って復路１５Ｂに配置する構成とすることができる。
【００７３】
このように構成することによって、紙幣識別装置１０の前面又は後面から搬送装置１６の搬送通路１５を見たとき、検出部１７が回転輪１３Ｂの直径の投影範囲内に入る配置ができ、紙幣識別装置１０の薄型化が達成できる。このため、左右幅が狭い貸機２内に組み込む紙幣識別装置１０を作製できることとなる。
【産業上の利用可能性】
【００７４】
本発明は、上記実施形態に限定されず、本発明の技術的範囲を逸脱しない限り種々の変更が考えられ、それに係る種々の実施形態を包含するものである。
【図面の簡単な説明】
【００７５】
【図１】本発明に係る紙幣識別装置を組み込んだ遊技媒体貸機の前面カバーを開いた正面斜視図である。（実施例１）
【図２】本発明に係る紙幣識別装置の前面側扉を開いた正面図である。（実施例１）
【図３】本発明に係る紙幣識別装置の前面側扉を閉じた右側面図である。（実施例１）
【図４】本発明に係る紙幣識別装置の前面側扉を閉じた左側面図である。（実施例１）
【図５】本発明に係る紙幣識別装置の平面図である。（実施例１）
【図６】本発明に係る紙幣収納部を開いた状態の紙幣識別装置の平面図である。（実施例１）
【図７】本発明に係る紙幣搬送通路開閉扉を開いた状態の紙幣識別装置の平面図である。（実施例１）
【図８】本発明に係る紙幣識別装置の紙幣収納部を示す斜視図である。（実施例１）
【図９】本発明に係る紙幣収納部の収納ボックスと紙幣押え可動板と引き出し部材に分解斜視図である。（実施例１）
【図１０】本発明に係る紙幣収納部の縦断正面図である。（実施例１）
【図１１】本発明に係る紙幣識別装置の前面側扉を閉じたときの引き出し部材の状態を示す左側面図である。（実施例１）
【図１２】本発明に係る紙幣識別装置の前面側扉を開いたときの引き出し部材の状態を示す左側面図である。（実施例１）
【図１３】本発明に係る紙幣識別装置の内部構成を示す平面図である。（実施例１）
【図１４】本発明に係る紙幣収納部と紙幣収納機構との関係を示す図１３のＡ―Ａ箇所の縦断面図である。（実施例１）
【図１５】本発明に係る紙幣収納機構が紙幣を収納しようとする位置へ作動した状態を示す図１３のＡ―Ａ箇所の縦断面図である。（実施例１）
【図１６】遊技装置の正面図である。（実施例１）
【図１７】本発明に係る紙幣識別装置の前面側扉を遊技媒体貸機の前面カバーで兼用した構成の前面カバーを開いた正面斜視図である。（実施例１）
【符号の説明】
【００７６】
１・・・・遊技機
２・・・・遊技媒体の貸機
１０・・・紙幣識別装置
１１・・・紙幣挿入部
１２・・・筺体
１３Ａ・・従動側回転輪
１３Ｂ・・駆動側回転輪
１４・・・エンドレスベルト
１５・・・搬送通路往路１５Ａと復路
１５Ａ・・搬送通路の往路
１５Ｂ・・搬送通路の復路
１６・・・搬送装置
１７・・・検出部
１８・・・紙幣収納部
１９・・・光学検出部
２０・・・磁気検出部
２４・・・押し圧ローラ
２５Ａ、２５Ｂ・・・ガイド部材
２７Ａ・・押し込み部
２８・・・押し込み開口
２９・・・上下軸
３０・・・収納ボックス
３１・・・Ｌ字状の係止溝
３３・・・駆動機構部
３４・・・カム
３５・・・突起
３６・・・軸
３７・・・軸
３８・・・溝
３９・・・リンク
４０・・・押し込み機構
４２・・・板バネ
４３・・・紙幣押え可動板
４６・・・前面カバー
４７・・・貸機内の収納部
４８・・・紙幣挿入開口
５０・・・前面側扉
５１・・・引き出し部材
５１Ａ・・操作部
５３・・・孔
５６・・・前方付勢バネ
５７・・・長孔
５８・・・ガイドピン
５９・・・長孔
６０・・・ガイドピン
１００・・紙幣
【図１】
2008130028.tif 000003
【図２】
2008130028.tif 000004
【図３】
2008130028.tif 000005
【図４】
2008130028.tif 000006
【図５】
2008130028.tif 000007
【図６】
2008130028.tif 000008
【図７】
2008130028.tif 000009
【図８】
2008130028.tif 000010
【図９】
2008130028.tif 000011
【図１０】
2008130028.tif 000012
【図１１】
2008130028.tif 000013
【図１２】
2008130028.tif 000014
【図１３】
2008130028.tif 000015
【図１４】
2008130028.tif 000016
【図１５】
2008130028.tif 000017
【図１６】
2008130028.tif 000018
【図１７】
2008130028.tif 000019